【事件の表示】
　平成９年特許願第１９０３０７号「圧力センサ付きガイドワイヤー」拒絶査定に対する審判事件［平成１１年２月９日出願公開、特開平１１−３３００４］について、次のとおり審決する。
【結　論】
　本件審判の請求は、成り立たない。
【理　由】
１．手続の経緯
　本願は、平成９年７月１５日の出願であって、平成１２年７月１０日付で拒絶査定がなされ、これに対し、同年８月１８日に拒絶査定に対する審判請求がなされるとともに、同年９月１８日付で手続補正がなされたものである。
　
２．平成１２年９月１８日付の手続補正についての補正却下の決定
［補正却下の決定の結論］
　　平成１２年９月１８日付の手続補正を却下する。
［理由］
（１）補正後の本願発明
　本件補正により、特許請求の範囲の請求項１〜４は、
「【請求項１】Ｘ線に不透過性の先端部、該先端部に近接した部分に受圧面を露出した血圧測定用の半導体型圧力センサーを有するセンサー部及び前記圧力センサーと外部機器とを接続する伝導性微細配線を内在させた延長部とが上記順序で互いに固着されてなり、心臓にカテーテルを挿入案内する外径０．２６乃至１．０５ｍｍ、長さ３０乃至２５０ｍｍのガイドワイヤーに於いて、前記先端部は、長さが１０乃至３０ｍｍの白金製ワイヤーの螺旋状コイルであって、前記延長部及びセンサー部を通して延ばされたステンレス製コアワイヤーに錫ー銀系合金で溶接されたステンレス製の安全ワイヤーを内包し、その安全ワイヤーの端と前記白金製ワイヤーの一部端部を含め先端が丸められた錫ー銀系合金のチップに溶接され、前記センサー部は、長さが２乃至２０ｍｍで内腔を有するステンレス製の外套管で、その外套管に設けたモニター孔に面した内腔内にシリコンチップを台座とする半導体型圧力センサーを受圧面を露出するようにエポキシ樹脂を充填して固定してなり、且つ、前記半導体型圧力センサーは、ホイートストンブリッジを備えたピエゾ抵抗圧センサーと温度のみにより変化を受ける他の抵抗素子とを備え、前記ピエゾ抵抗圧センサーの電気抵抗と前記他の抵抗素子の電気抵抗との差を計測し、更に、外部機器本体内の大気圧センサーによる大気圧下の電圧抵抗を補正して電圧に変換し、血圧に換算する形式のものであり、前記延長部は、ステンレス製ワイヤーが螺旋状に巻かれたコイル及びステンレス製外套管からなる管状ワイヤーであり、且つ、前記センサーと外部機器とを接続する導電性の微細配線が、ガイドワイヤーの内腔内を通るフレキシブル配線基板であることを特徴とする圧力センサー付きガイドワイヤー。
【請求項２】上記ガイドワイヤーの外部表面が樹脂で被覆されていることを特徴とする請求項１記載の圧力センサー付きガイドワイヤー。
【請求項３】上記被覆樹脂がフッ素樹脂からなることを特徴とする請求項２記載の圧力センサー付きガイドワイヤー。
【請求項４】上記ガイドワイヤーの延長部は、端部で外部機器と接続するための外径が０．２６乃至１．０２ｍｍで、長さが１００乃至２００ｃｍのステンレス製の延長ワイヤーと着脱式に接続されている請求項１乃至３の何れかに記載する圧力センサー付きガイドワイヤー。」
と補正された。
　なお、上記「長さ３０乃至２５０ｍｍのガイドワイヤー」の「ｍｍ」は「ｃｍ」の誤記と認められる。
　上記補正は、本件補正前の請求項１に、請求項２に記載された先端部、センサー部、延長部の構成を付加し、また、センサー部の血圧換算の構成に、段落３９の記載に基づいて「外部機器本体内の大気圧センサーによる大気圧下の電圧抵抗を補正して電圧に変換し」との限定を付加し、更に、導電性の微細配線に、段落３３の記載に基づいて「前記センサーと外部機器とを接続する導電性の微細配線が、ガイドワイヤーの内腔内を通るフレキシブル配線基板」との限定を付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第４項の規定に適合するか）について以下に検討する。
　
（２）刊行物に記載された発明について
（２−１）
　原査定の拒絶の理由に引用された特開平１−１５８９３６号公報（以下、刊行物１という。）には、以下の記載がある。
「血圧モニタ用ガイドワイヤおよびその使用法」（発明の名称）
「第１図は本発明によるガイドワイヤ１０を示す。・・・
　可撓性バネコイル１６が軸１１の遠位端から軸方向に延在してガイドワイヤ１０の可撓性尖端部を成す。管状部材１３はバネコイルの近位端の中に同軸的に配置されている。バネコイル１６と、管状軸１１と、管状部材１３とが、はんだ１７などの適当手段によって相互に接着されている。コイルの遠位端に、はんだの丸い尖端部１８が配備されている。
　中実コア２１が・・・またコア２１の末端部はコイルの遠位端に対してはんだディスク２７によって固着されている。はんだディスク２７と尖端はんだ１８との間に安全ワイヤ２８が延在する」（第３頁左上欄第１９行〜左下欄第７行）
「軸１１と管状部材１３は、皮下管または「ハイポ」管として公知の中空ステンレス鋼管などの任意適当な素材で製造される。同様にコア２１はステンレス鋼またはその他の適当素材で製造され、コイル１６はステンレス鋼によって、または少なくとも部分的に放射線不透過性の素材によって製造される。従って好ましい実施態様においては、コイル１６は開口３１の近位側においてはステンレス鋼によって製造され、開口の遠位側においては白金によって製造される。・・・ガイドワイヤ１０は１７５ｃｍの全長を有し、軸１１が１４５ｃｍのオーダの長さを有し、孔３１は軸１１の末端から２５ｃｍのオーダ離間し、またコイル１６は孔３１を越えて５ｃｍのオーダ延在する。」（第３頁左下欄第１９行〜第１７行）
（２−２）
　同じく、原査定の拒絶の理由に引用された国際公開第９６／７３５１号パンフレット（以下、刊行物２という。）には、以下の事項が記載されていると認められる。
「超小型圧力センサ及びそれを用いるガイドワイヤ及び方法 本発明は、特に、人間の冠状動脈の圧力測定を行うのに適した超小型圧力センサ及びガイドワイヤ及びそれを用いる装置及び方法に関する。」（本文第１頁第１行〜第４行）
「一般に、圧力検出能力を有する本発明のガイドワイヤは、近位端及び遠位端を有し、０．０１８インチ以下の直径を有する可撓性の細長い要素からなる。圧力センサは可撓性の細長い要素の遠位端に取付けられる。圧力センサは、凹部を有しかつリムによって縁取られたダイヤフラムを形成する半導体材料のクリスタルからなる。」（本文第４頁第３３行〜第５頁第３行）
「このようなガイドワイヤは近位端４２及び遠位端４３を有する可撓性の細長い要素４１からなり、該可撓性の細長い要素４１はステンレス鋼のような適当な材料で形成され、例えば、０．０１８インチ以下の外径を有し、例えば、０．００１インチから０．００２インチの適当な肉厚を有し、そして、１５０−１７０センチメートルの長さを有し、」（本文第５頁第３１行〜第６頁第１行）
「コイルばね４６が設けられ、コイルばね４６はステンレス鋼のような適当な材料で形成される。・・・」（本文第６頁第８行〜第９行）
「ハウジング５１はコイルばね５４の近位端５３を装着した遠位端５２を備える。コイルばね５４はパラジウム又はタングステン白金合金のような高度に放射線不透過性材料で形成される。コイルばね４６は、例えば、２７センチメートルのような適当な長さを有することができるが、これに対し、コイルばね５４は、例えば、３センチメートルのような適当な長さを有することができる。中間又は移行ハウジング５１は、例えば、１ミリメートルから５ミリメートルのような適当な長さを有することができる。」（本文第６頁第１９行〜第２８行）
「圧力センサ組立体７６は移行ハウジング５１に設けられたカットアウト１１１内に取付けられ、エポキシ樹脂１１２のような適当な手段によってカットアウト１１１に固着され、・・・リード線１０６は可撓性の細長い部材４１の近位端４２まで可撓性の細長い部材４１を貫通し、この近位端４２のところで、リード線１０６はハウジング６８内に配置された近位端４２によって支持されたスリーブ（図示せず）に接続される。」（本文第１２頁第４行〜第１４行）
「図１２と関連して、３つのリード線の使用で、圧力センサに半ブリッジ構造を利用することによって、温度補償を得ることが可能であることがわかる。変形例として、もっと正確な温度補償を、２つの抵抗を直接測定することによって行うことができ、次に、２つのセンサの抵抗に対する温度及び圧力に関する数学方程式を解く。」（本文第１３頁第６行〜第１３行）
「本発明を実施するガイドワイヤ１２１の他の実施の形態を図１３に示す。ガイドワイヤ１２１には、圧力センサ組立体７６がチップハウジング１２２に取付けられる。チップハウジング１２２は端キャップ５７の代わりをし、コイル５４の遠位端５６に装着されることができる。チップハウジング１２２はステンレス鋼のような適当な材料で形成され、・・・センサ組立体７６は以下に説明するタイプのものであることができ、例えば、エポキシ樹脂１２４の使用によって取付けられたのとほとんど同じ方法で、センサ組立体７６をチップハウジング１２２に設けられたカットアウト１２３にセンサ組立体７６を取付けることができる。パラジウム或いはタングステン白金合金のような放射線不透過性の材料で形成された半球状の端キャップ１２６を、チップハウジング１２２の遠位端に取付けることができる。」（本文第１５頁第２７行〜第１６頁第５行）
「コイル５４は中間端キャップ１６１に装着されかつまるい半球状チップ１６７を支持するチップハウジング１６６に装着することができる。」（本文第１８頁第１５行〜第１７行）
「図１６Ａに、ハウジング１５２がコイル４６の遠位端に設けられ、穴１５３を閉鎖するためのチップ１６７がハウジング１５２に直接取付けられていることを除いて、ガイドワイヤ１５１に非常に似ているガイドワイヤ１６８を示す。」（本文第１８頁第２１行〜第２５行）
　
（３）対比
　そこで、本願補正発明と刊行物２に記載された発明とを比較検討する。
　刊行物２に記載された発明の
・白金合金のような放射線不透過性材料で形成される３ｃｍ程度の長さの「コイルばね５４」
・「半球状の端キャップ」
・１〜５ｍｍのような適当な長さを有する「ハウジング５１」
・「カットアウト」
・ステンレス鋼製の「コイルばね４６」
・「可撓性の細長い部材４１」
・「リード線」
は、それぞれ本願補正発明の
・先端部の「螺旋状コイル」
・「先端が丸められたチップ」
・センサー部の「外套管」
・「外套管に設けたモニター孔に面した内腔」
・延長部の「ステンレス製ワイヤーが螺旋状に巻かれたコイル」
・「管状ワイヤー」
・「電導性の微細配線」
に相当する。
　また、刊行物２には、ガイドワイヤーは冠状動脈は通るがカテーテルをどこまで案内するかは記載されていないが、ガイドワイヤーの長さからして、刊行物２に記載された発明においても、カテーテルを心臓まで案内することができるものであると認められる。
　よって、両者は、
「Ｘ線に不透過性の先端部、該先端部に近接した部分に受圧面を露出した血圧測定用の半導体型圧力センサーを有するセンサー部及び前記圧力センサーと外部機器とを接続する伝導性微細配線を内在させた延長部とが上記順序で互いに固着されてなり、心臓にカテーテルを挿入案内する外径０．２６乃至０．４５７ｍｍ、長さ１５０乃至１７０ｃｍのガイドワイヤーに於いて、
前記先端部は、長さが３０ｍｍのワイヤーの螺旋状コイルであって、先端が丸められたチップを有し、
前記センサー部は、長さが２乃至５ｍｍで内腔を有する外套管で、その外套管に設けたモニター孔に面した内腔内に半導体型圧力センサーを受圧面を露出するようにエポキシ樹脂を充填して固定してなり、且つ、前記半導体型圧力センサーは、温度補償を行い血圧を算出する形式のものであり、
前記延長部は、ステンレス製ワイヤーが螺旋状に巻かれたコイル及び管状ワイヤーであり、
且つ、前記センサーと外部機器とを接続する導電性の微細配線が、ガイドワイヤーの内腔内を通る圧力センサー付きガイドワイヤー」
の点で、一致し、以下の点で相違する。
・相違点１
　先端部が本願補正発明では、白金製ワイヤーの螺旋状コイルであって、前記延長部及びセンサー部を通して延ばされたステンレス製コアワイヤーに錫ー銀系合金で溶接されたステンレス製の安全ワイヤーを内包し、その安全ワイヤーの端と前記白金製ワイヤーの一部端部を含め先端が丸められた錫ー銀系合金のチップに溶接されているのに対し、刊行物２に記載された発明では白金合金製の螺旋状コイルと先端が丸められたチップからなり、安全ワイヤーや溶接などについては具体的に記載されていない点。
・相違点２
　半導体型圧力センサーの構成が、本願補正発明では、ホイートストンブリッジ式ピエゾ抵抗圧力センサと感温抵抗素子とによる温度補償回路を有する圧力センサーであるのに対し、刊行物２に記載された発明では、ダイヤフラムを形成するものであり、また、温度補償機能は有するものの回路構成が異なる点。
・相違点３
　大気圧による補正について、本願補正発明では、外部機器本体内の大気圧センサーによる大気圧下の電圧抵抗を補正して電圧に変換し、血圧に換算する形式であるのに対し、刊行物２に記載された発明では、ダイヤフラム形式のセンサー構成によるものである点。
・相違点４
　配線が、本願補正発明では、フレキシブル配線基板に対し、刊行物２に記載された発明ではリード線である点。
　
（４）判断
・相違点１について
　先端部の螺旋状コイルの材質として刊行物２に記載された発明では白金合金を用いているが、本願補正発明の白金同様に放射線不透過性の材料であることに変わりなく、また、刊行物１に、ガイドワイヤーの軸、管状部材、近位側のコイルなどは、ステンレス鋼またはその他の適当素材によって製造され、放射線不透過素材として白金を用いることが記載されており、丸い尖端部ははんだで形成しているように、フィラーに用いる材料で形成することが記載されていることから、刊行物２に記載された白金合金製の螺旋状コイルを白金製螺旋状コイルとし、先端が丸められたチップをフィラー材で構成することに困難性はない。また、溶接のフィラー材に何を選択するかは、固着対象の材質や使用環境に応じて当業者が適宜選択し得る設計事項である。
　そして、先端部に安全ワイヤーを内包させる構成についても刊行物１に記載されているようにガイドワイヤーの構成として周知であり、また、溶接によって固着することは、金属同士の固着手段として周知慣用の技術であることから、刊行物２に記載された発明の先端部を相違点１に係る構成とすることは当業者が容易に想到し得るものである。
・相違点２について
　ブリッジ式ピエゾ抵抗圧力センサと感温抵抗素子とによる温度補償回路を有する圧力センサーは、本願出願前に周知である（例えば、特開平４−２６５８３１号公報段落【０００３】、特開昭６１−１７６８３０号公報参照）ので、刊行物２に記載された温度補償を行う圧力センサーに前記周知の圧力センサーを採用し、相違点２に係る構成とすることは、当業者が容易に想到し得ることである。
・相違点３について
　血圧測定において大気圧を考慮することは、刊行物２においては、ダイヤフラム形式にすることで行っているが、別途、大気圧を測定して補正することも周知である（例えば、国際公開第９６／２６６７３号パンフレット本文第１頁第１８行〜第３１行には、大気圧補正には、測定が行われる部屋の気圧を測定する場合と、ダイヤフラム形式のセンサを用いる場合があることが記載されている。）ので、刊行物２に記載された大気圧補正の構成を、別途大気圧を測定する方式とし、相違点３に係る構成とすることは、当業者が容易に想到し得ることである。
・相違点４について
　電気的接続手段としてフレキシブル配線基板を用いることは、圧力センサの分野においても本願出願前に周知であるので（例えば、特開平９−２８６８０号公報、特開平８−３５８９６号公報、実願平１−１６９６１号（実開平１−１４４８３６号）のマイクロフィルム第４頁第１３行〜第１８行等参照）、刊行物２に記載された配線に、前記周知のフレキシブル配線基板を採用し、相違点４に係る構成とすることは当業者が容易に想到し得ることである。
　
　そして、本願補正発明の作用効果も、刊行物１、２に記載された発明及び周知技術から当業者が予測できる範囲のものである。
　したがって、本願補正発明は、刊行物１、２に記載された発明、及び、周知技術に基づいて、当業者が容易に発明をすることができたものであるから、特許法第２９条第２項の規定により特許出願の際独立して特許を受けることができないものである。
　
（５）むすび
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
３．本願発明について
　平成１２年９月１８日付の手続補正は上記のとおり却下されたので、本願の請求項１〜５に係る発明は、平成１２年１月７日付手続補正書の特許請求の範囲の請求項１〜５に記載された事項により特定されるとおりであり、そのうち請求項１に係る発明（以下、同項記載の発明を「本願発明」という。）は以下のとおりのものである。
「【請求項１】心臓にカテーテルを挿入案内する外径が０．２６乃至１．０５ｍｍで、長さが３０乃至２５０ｃｍのガイドワイヤーにおいて、該ガイドワイヤーは、Ｘ線に対して不透過性の先端部と先端部に近接した部分に受圧面を露出した血圧測定用の半導体型圧力センサーを有するセンサー部及びワイヤー内に該センサーと外部機器とを接続する電導性の微細配線を内在している延長部とから成り、前記半導体型圧力センサーは、ホイートストンブリッジを備えたピエゾ抵抗圧センサーにより圧変化を電気抵抗に変換させるものであり、温度のみにより変化を受ける他の抵抗素子も有しており、該ピエゾ抵抗圧センサーの電気抵抗と他の抵抗素子との抵抗差を電圧に変換し、圧換算する、ことを特徴とする圧力センサー付きガイドワイヤー。」
　
（１）刊行物に記載された発明について
　原査定の拒絶の理由に引用された刊行物１、２、および、その記載事項は、前記「２．（２）」に記載したとおりである。
　
（２）対比・判断
　本願発明は、前記２．で検討した本願補正発明から「先端部」の限定事項である「前記先端部は、長さが１０乃至３０ｍｍの白金製ワイヤーの螺旋状コイルであって、前記延長部及びセンサー部を通して延ばされたステンレス製コアワイヤーに錫ー銀系合金で溶接されたステンレス製の安全ワイヤーを内包し、その安全ワイヤーの端と前記白金製ワイヤーの一部端部を含め先端が丸められた錫ー銀系合金のチップに溶接され、」との構成を省き、「センサー部」の限定事項である「前記センサー部は、長さが２乃至２０ｍｍで内腔を有するステンレス製の外套管で、その外套管に設けたモニター孔に面した内腔内にシリコンチップを台座とする半導体型圧力センサーを受圧面を露出するようにエポキシ樹脂を充填して固定してなり、前記半導体型圧力センサーは、外部機器本体内の大気圧センサーによる大気圧下の電圧抵抗を補正して電圧に変換し、血圧に換算する形式のものであり、」との構成を省き、「延長部」の限定事項である「前記延長部は、ステンレス製ワイヤーが螺旋状に巻かれたコイル及びステンレス製外套管からなる管状ワイヤーであり、」との構成を省き、「配線」の限定事項である「且つ、前記センサーと外部機器とを接続する導電性の微細配線が、ガイドワイヤーの内腔内を通るフレキシブル配線基板である」との構成を省いたものである。
　そうすると、本願発明の構成要件を全て含み、さらに他の構成要件を付加したものに相当する本願補正発明が、前記「２．（４）」に記載したとおり、刊行物１、刊行物２、及び、周知技術に基づいて、当業者が容易に発明をすることができたものであるから、本願発明も、同様の理由により、刊行物１、刊行物２、及び、周知技術に基づいて、当業者が容易に発明をすることができたものである。
　
（３）むすび
　以上のとおり、本願発明は、刊行物１、２に記載された発明、及び、周知技術に基づいて、当業者が容易に発明をすることができたものであるから、特許法第２９条第２項の規定により特許を受けることができない。
　よって、結論のとおり審決する。